(57)【要約】【課題】トリミングズームを簡単に行えてかつ低廉なカメラを提供すること。【解決手段】撮影位置Ｐに向かう被写体光の進路上に一対の遮光部材１５ａ，１５ｂを設けてパノラマ撮影モードに対応する画枠をフィルムに写し込む。このときに、一対の遮光部材１５ａ，１５ｂに突起部１５１ａ，１５１ｂを設けて、トリミングズームを行なうときの目印を撮影駒に写し込めるようにしておく。この目印はパノラマサイズの写真をトリミングして、通常サイズと同じサイズの写真を得たときに、擬似的にズーミングされた様になる位置に設けておく。【選択図】  図４
2004294793.tif 000002
【特許請求の範囲】
【請求項１】
ロール状写真フィルムをひと駒分ずつ給送して、所定の撮影位置に給送された撮影駒に、撮影光学系を経由して入射した被写体光を露光することにより写真撮影を行なうカメラにおいて、
前記撮影位置に向かう被写体光の進路上に退出自在に進入して、前記撮影駒の、前記ロール状写真フィルムの幅方向両側の領域を遮光する遮光部材と、
前記遮光部材を被写体光の進路上から退出させた状態で撮影を行なう通常撮影モードと該遮光部材を被写体光の進路上に進入させた状態で撮影を行なうパノラマ撮影モードとを切り換える切換操作子と、
前記パノラマ撮影モードにおいて作用する、該パノラマ撮影モードにおける前記撮影駒の露光領域内の、前記通常撮影モードにおける前記撮影駒の露光領域の縦横比と同一の縦横比となる位置に、目印を写し込む擬似ズーミング手段とを備えたものであることを特徴とするカメラ。
【請求項２】
前記擬似ズーミング手段は、前記遮光部材の、前記パノラマ撮影モードにおける前記撮影駒の露光領域を区画する辺に設けられた凸部もしくは凹部であることを特徴とする請求項１記載のカメラ。
【請求項３】
ロール状写真フィルムをひと駒分ずつ給送して、所定の撮影位置に給送された撮影駒に、撮影光学系を経由して入射した被写体光を露光することにより写真撮影を行なうカメラにおいて、
前記撮影位置に向かう被写体光の進路上に退出自在に進入して、前記撮影駒の、前記ロール状写真フィルムの幅方向両側の領域を遮光する遮光部材と、
前記遮光部材が被写体光の進路上に進入した状態における前記撮影駒の露光領域内の、前記遮光部材を被写体光の進路上から退出させた状態で撮影を行なう通常撮影モードにおける前記撮影駒の露光領域の縦横比と同一の縦横比となる位置に、目印を写し込む擬似ズーミング手段と、
前記通常撮影モードと該遮光部材を被写体光の進路上に進入させた状態で撮影を行なうパノラマ撮影モードと該遮光部材を被写体光の進路上に進入させるとともに前記擬似ズーミング手段を作用させる擬似ズーミングモードとを切り換える切換操作子とを備えたことを特徴とするカメラ。
【請求項４】
前記擬似ズーミング手段は、前記撮影駒への撮影に同期して点灯する光源であることを特徴とする請求項３記載のカメラ。
【発明の詳細な説明】
【０００１】
【発明の属する技術分野】
本発明は、ロール状写真フィルムをひと駒分ずつ給送して、所定の撮影位置に給送された撮影駒に、撮影光学系を経由して入射した被写体光を露光することにより写真撮影を行なうカメラに関する。
【０００２】
【従来の技術】
カメラには遮光部材を被写体光の進路上に進入させた状態で撮影を行なうパノラマ撮影モードと遮光部材を被写体光の進路上から退出させた状態で撮影を行なう通常撮影モードとを切換操作子により切り換えてパノラマサイズの写真を得るカメラがある。このようなカメラの中に通常撮影モードとパノラマ撮影モードとの切換操作に応じてファインダ光路上にマスク板を進出させてパノラマ撮影モードの視野枠を撮影者に視認させるとともに、そのマスク板をファインダ光路から退出させて通常撮影モードの視野枠を撮影者に視認させるものがある（例えば特許文献１参照）。
【０００３】
このパノラマ撮影モードで撮影を行うときには、被写体光の進路上に進出させた遮光部材によって定められた画枠内に被写体光を結像させ、その画枠内の被写体像を所定の倍率で引き伸ばしてパノラマサイズの写真を得ている。
【０００４】
図１はこのカメラで撮影を行なって得られた、ネガティブ像が形成されたフィルム（以下ネガという）と、そのフィルムが現像され、得られた写真を示す図である。
【０００５】
図１にはパノラマ撮影モードが選択されたときと、通常撮影モードが選択されたときのネガがそれぞれ示されている。図１の左側が通常撮影モードで撮影が行なわれたときのネガであり、図１の右側がパノラマ撮影モードで撮影が行なわれたときのネガである。このネガが例えば３５ｍｍフルサイズ相当であれば、通常撮影モードで撮影が行なわれたときには２４ｍｍ×３６ｍｍ（縦横比１．５）の露光領域に撮影が行なわれ、パノラマ撮影モードで撮影が行なわれたときには１３ｍｍ×３６ｍｍ（縦横比  約２．８）の横長の露光領域に撮影が行なわれる。
【０００６】
これらのネガが現像されると、通常撮影モードで撮影された方は図１に示すような通常サイズの写真になり、パノラマ撮影モードで撮影された方は大きく引き伸ばされて横長の写真が得られる。
【０００７】
撮影者の中には、このパノラマ撮影モードで撮影を行っておいて、パノラマサイズの写真を得た後、中央に位置する被写体部分を通常モードの撮影サイズに合わせて切り取って擬似的にズーミングされた写真を得る人もいる。これをトリミングズームと呼んでいる。折角プリントサービスによってパノラマ写真が得られることを考えれば、プリントサービスによってトリミングズームに対応する写真が得られた方がこの撮影者にとっては都合が良い。そこで、このようなトリミングズームにも対応可能なプリントサービスを行なうシステムが提案されている（例えば特許文献２参照）。この特許文献２のものでは、フィルムカートリッジ内のフィルムに予め、トリミングに関する情報をいくつか写し込んでおき、撮影時にそれらの情報の中からいずれかを指定することが行われている。しかしこの移し込まれた情報の中からいずれかを指定するためにはＬＣＤ装置などが必要になる。このようにＬＣＤ装置を設けると、ＬＣＤ装置およびそのＬＣＤ装置を制御するための制御部が必要になり、どうしてもカメラが高価になるという問題がある。さらに撮影時に指定された情報を読み取る写真プリンタを設けるとなると、トリミングズームに係るシステム全体が非常に高価なものになりかねない。
【０００８】
【特許文献１】
特開平６−３０１１０３号公報
【特許文献２】
特開平５−１９３６８号公報
【０００９】
【発明が解決しようとする課題】
本発明は、上記事情に鑑み、トリミングズームを簡単に行えてかつ低廉なカメラを提供することを目的とする。
【００１０】
【課題を解決するための手段】
上記目的を達成する本発明の第１のカメラは、ロール状写真フィルムをひと駒分ずつ給送して、所定の撮影位置に給送された撮影駒に、撮影光学系を経由して入射した被写体光を露光することにより写真撮影を行なうカメラにおいて、
上記撮影位置に向かう被写体光の進路上に退出自在に進入して、上記撮影駒の、上記ロール状写真フィルムの幅方向両側の領域を遮光する遮光部材と、
上記遮光部材を被写体光の進路上から退出させた状態で撮影を行なう通常撮影モードとその遮光部材を被写体光の進路上に進入させた状態で撮影を行なうパノラマ撮影モードとを切り換える切換操作子と、
上記パノラマ撮影モードおいて作用する、そのパノラマ撮影モードにおける前記撮影駒の露光領域内の、上記通常撮影モードにおける、上記撮影駒の露光領域の縦横比と同一の縦横比となる位置に、目印を写し込む擬似ズーミング手段を備えたものであることを特徴とする。
【００１１】
上記本発明の第１のカメラによれば、パノラマ撮影モードで撮影が行われたときに上記擬似ズーミング手段により上記撮影駒の露光領域内の、上記通常撮影モードにおける、上記撮影駒の露光領域の縦横比と同一の縦横比となる位置に目印を写し込むことができる。そうすると、その目印が付加されたパノラマサイズの写真が得られ、そのパノラマサイズの写真をその目印にそって切り取ることにより、上記撮影駒の縦横比と同一の縦横比を持つ写真が得られる。このように上記擬似ズーミング手段を設けることで撮影駒に目印を写し込むことができ、その目印が移し込まれたネガを現像すれば、目印が付加された写真が得られるので、トリミングズームを簡単に行える。
【００１２】
ここで、上記擬似ズーミング手段は、上記露光部材の上記パノラマ撮影モードにおける上記撮影駒の露光領域を区画する辺に設けられた凸部もしくは凹部であることが好ましい。
【００１３】
このように上記露光部材の辺に上記凸部を設ける、もしくは上記凹部を設けることは容易であり、カメラの低廉化を図れる。
【００１４】
また本発明の第２のカメラによれば、ロール状写真フィルムをひと駒分ずつ給送して、所定の撮影位置に給送された撮影駒に、撮影光学系を経由して入射した被写体光を露光することにより写真撮影を行なうカメラにおいて、
上記撮影位置に向かう被写体光の進路上に退出自在に進入して、上記撮影駒の、上記ロール状写真フィルムの幅方向両側の領域を遮光する遮光部材と、
上記遮光部材が被写体光の進路上に進入した状態における上記撮影駒の露光領域内の、上記遮光部材を被写体光の進路上から退出させた状態で撮影を行なう通常撮影モードにおける、上記撮影駒の露光領域の縦横比と同一の縦横比となる位置に、目印を写し込む擬似ズーミング手段と、
上記通常撮影モードとその遮光部材を被写体光の進路上に進入させた状態で撮影を行なうパノラマ撮影モードとその遮光部材を被写体光の進路上に進入させるとともに上記擬似ズーミング手段を作用させる擬似ズーミングモードとを切り換える切り換え操作子とを備えたことを特徴とする。
【００１５】
このように上記擬似ズーミングモードを設け、その擬似ズーミングモードが選択されたときに、目印を写し込むようにすると、パノラマモードと擬似ズーミングモードとを区別することができ、パノラマサイズの写真には目印のないものが、擬似ズーミングを行う写真には目印のあるものが得られる。そうすると、パノラマ撮影モードにおいて、擬似ズーミングを行うことを意図したときにのみ上記擬似ズーミングモードで撮影を行なえば良くなる。
【００１６】
ここで、上記擬似ズーミング手段は、上記撮影駒への撮影に同期して点灯する光源であることが好ましい。
【００１７】
上記第１のカメラのように遮光部材を加工してその遮光部材の辺に凹部もしくは凸部を施しても良いが、上記光源でフィルムに目印を写し込むようにしても良い。このようにＬＣＤ装置などを設ける代わりに、上記擬似ズーミング手段を複数の光源で構成すればカメラの低廉化を図れる。
【００１８】
【発明の実施の形態】
以下、本発明の実施形態について説明する。
【００１９】
図２は本実施形態であるカメラの外観を示す構成斜視図である。
【００２０】
図２に示すようにカメラボディ１ａ中央に撮影光学系となる撮影レンズ１１があり、その撮影レンズ１１の上方にはファインダ１２が設けられている。図２にはファインダ１２のフロント窓１２ａとカメラボディ背面側にある接眼レンズ１２ｂがそれぞれ示されている。このカメラ１にはロール状の写真フィルム１３が巻回されているフィルムカートリッジ１３ａが装填されており、そのロール状の写真フィルム１３をひと駒分ずつ給送して、所定の撮影位置に給送された撮影駒に、撮影レンズ１１を経由して入射した被写体光を露光することにより写真撮影が行なわれる。
【００２１】
この実施形態のカメラ１には切換操作子１４がカメラボディ１ａ底部に設けられており、この切換操作子１４を切り換えることによってパノラマ撮影モードと通常撮影モードとが切り換えられる。
【００２２】
図３は図２のカメラの撮影レンズ１１およびファインダ１２がある部分を縦方向に切断して、撮影レンズ１１とファインダ１２を横方向から見た図である。図２にはファインダ１２の構成と、撮影レンズ１１と撮影位置Ｐとが示されている。この撮影位置Ｐにロール状のフィルム１３のひと駒分が給送されて撮影が行われる。
【００２３】
まず、このカメラ１に配備されているファインダ１２の構成を、図３を参照して説明する。
【００２４】
ファインダ１２は、フロント窓１２ａと、接眼レンズ１２ｂと、ハーフミラー１２ｃと、対物レンズ１２ｄと、そのハーフミラー１２ｃと対物レンズ１２ｄの間に退出自在に進入するマスク板１２ｅとからなる。このファインダ１２の接眼レンズ１２ｂには通常撮影モードに対応する視野枠１２１ｂとパノラマ撮影モードに対応する視野枠１２２ｂとが形成されている。このファインダ１２はアラバタファインダと呼ばれるファインダで、その接眼レンズ１２ｂに形成された視野枠１２１ｂ、１２２ｂを、接眼レンズ１２ｂを通して覗く撮影者に視認させるものである。本実施形態のファインダ１２の接眼レンズ１２ｂには視野枠１２１ｂ，１２２ｂが二つ形成されているので、これらの視野枠１２１ｂ，１２２ｂのうちパノラマ撮影モードを撮影に視認させるときには、ファインダ光路内の所定の位置にマスク板１２ｅの開口１２１ｅを退出自在に進入させている。
【００２５】
また、カメラボディ１ａ底部にある切換操作子１４がスライド操作されて通常撮影モードに切り換えられたときには、マスク板１２ｅをファインダ光路から退出させて通常撮影モード側の視野枠１２１ｂを撮影者に視認させる。
【００２６】
このようにしてマスク板１２ｅをそのファインダ光路に進入させ、パノラマ撮影モードの視野枠を視認させ、マスク板をファインダ光路から退出させ、通常撮影モードの視野枠１２１ｂを撮影者に視認させるときには、撮影位置Ｐに向かう被写体光の進路上にも一対の遮光部材１５ａ，１５ｂを進入させたり、その光路から退出させたりすることが行われる。図２からもわかるように、一対の遮光部材１５ａ、１５ｂは撮影位置Ｐにある撮影駒の、ロール状写真フィルムの幅方向両側の領域を遮光するもので、図２では撮影位置Ｐの手前の部分に設けられている。これら一対の遮光板１５ａ，１５ｂに設けられているピン１５３ａ，１５３ｂが遮光筒１１０側の隔壁部の穴に嵌入され、回動自在に軸支されている。この一対の遮光板１５ａ，１５ｂを被写体光の進路上に進入させることによってパノラマ撮影モードの画枠が定められる。その画枠によって本発明にいうパノラマ撮影モードにおける撮影駒の露光領域が定まる。以下この撮影位置Ｐに向かう被写体光の進路をファインダ光路に対し、撮影光路と呼ぶ。
【００２７】
このようにカメラボディ１ａ底部にある切換操作子１４がスライド操作されてパノラマ撮影モードに切り換えられたときに上記マスク板１２ｅをファインダ光路に進入させるとともに、一対の遮光部材１５ａ，１５ｂを撮影光路にそれぞれ進入させる一方、その切換操作子１４が通常撮影モード側に切り換えられたときにはそのマスク板１２ｅおよび一対の遮光部材１５ａ，１５ｂをファインダ光路から退出させる機構を説明する。
【００２８】
図４は切換操作子１４のスライド操作に応じてマスク板１２ｅと一対の遮光部材１５ａ，１５ｂとを連動させて動かす連結機構を示す図である。図４を参照してその連結機構を詳細に説明する。
【００２９】
図４にはカメラボディ１ａ底部に設けられている切換操作子１４が最下部に示されている。その最下部にある切換操作子１４のスライド操作に応じてその切換操作子１４上方に位置するマスク板１２ｅと一対の遮光部材１５ａ，１５ｂが連動して動く。
【００３０】
切換操作子１４には板バネ１４ａが取り付けられており、切換操作子１４がスライド操作されると、この板バネ１４ａが図４に示すように、カメラボディ１ａ側に形成された二つのクリック溝１１１１ａ，１１１２ａのいずれかに係合されて保持されるようになっている。二つのクリック溝のうち、図３の左側に示されているのがパノラマ撮影モードに対応するクリック溝１１１１ａであり、図３の右側に示されているのが通常撮影モードに対応するクリック溝１１１２ａである。
【００３１】
この切換操作子１４が図４に示すようにパノラマ撮影モード側にあるときにはその切換操作子１４の上部にある遮光部材１５ａ，１５ｂとマスク板１２ｅはそれぞれファインダ光路と撮影光路に進入した位置に保持されている。この切換操作子１４が通常撮影モード側（Ｆの方向）にスライド操作されると、切換操作子１４の上方に設けられた連結機構によってマスク板１２ｅおよび一対の遮光部材１５ａ，１５ｂがファインダ光路および撮影光路から退出するようになっている。このマスク板１２ｅの開口１２１ｅには、その開口１２１ｅを形成する１つの辺に一対の凸部１２２ｅが設けられており、その一対の凸部１２２ｅを撮影者に視認させることにより、トリミングズームの位置を知らせている。
【００３２】
撮影光路側には上記マスク板と連動して動く一対の遮光部材１５ａ，１５ｂが配設されている。この一対の遮光部材１５ａ，１５ｂは、ロール状写真フィルムのひと駒分の撮影画面に画枠を設定するもので、撮影位置Ｐに向かう被写体光の進路上に退出自在に進入して、撮影駒の、ロール状写真フィルム１３の幅方向両側の領域を遮光するものである。したがってこの遮光部材が撮影光路に進出すると撮影画面に横長の画枠が設定され、パノラマ撮影モードにおける撮影駒の横長の露光領域が得られる。この一対の遮光部材１５ａ，１５ｂにもパノラマ撮影モードにおける撮影駒の露光領域内の、通常撮影モードにおける撮影駒の露光領域の縦横比と同一の縦横比となる位置に目印を写し込むための一対の凸部１５１ｂ，１５２ｂが設けられている。この一対の凸部１５１ｂ，１５２ｂが擬似ズーミング手段に相当する。
【００３３】
この一対の遮光部材１５ａ，１５ｂとファインダ光路側に位置するマスク板１２ｅと上記切換操作子１４とは、３本のアーム１４ｂ，１４ｃ，１４ｄと扇型に形成された一対のギア部材１４１ｅ、１４２ｅからなる連結機構によって連結されている。
【００３４】
この連結機構には一対のギア１４１ｅ，１４２ｅのほか、３本のアームが使用されているのでこれらを区別するため、以降の説明においてはそれら３本のアームを区別するために切換操作子１４側に在るアームを第１のアーム１４ｂと記載し、その第１のアームに連結されるアームを第２のアーム１４ｃと記載し、さらにこの第２のアームに連結されるアームを第３のアーム１４ｄと記載する。
【００３５】
第１のアーム１４ｂはＬ字状に形成されたものであり、このＬ字状の曲がり部分に穴１４１ｂが設けられている。その穴１４１ｂがカメラボディに植設されたピン１１１ｉに係合され、回動自在に軸支されている。また、この第１のアーム１４ｂの下端部は切換操作子１４に支持されており、この切換操作子１４がスライド操作されるとこの第１のアーム１４ｂが支軸１１１ｉを中心に回動される。また第１のアーム１４ｂの右端部には開口部１４２ｂが形成され、この開口部１４２ｂに第２のアーム１４ｃの下端部に固着されたピン１４１ｃが係合されている。この第２のアーム１４ｃは、その下端部から図３の上方向に延びて配設されており、第３のアーム１４ｄに第１のアーム１４ｂの動きを伝えることができるように上下方向に移動することが自在な構成になっている。図４には切換操作子１４が矢印Ｆの方向に動いたときに第２のアーム１４ｂが上昇することが矢印によって示されている。
【００３６】
この第２のアーム１４ｂにはカメラボディ１ａ側に設けられているピン１１１ｄ，１１１ｃに係合する一対の長孔１４２ｃ，１４３ｃが設けられており、その一対の長孔１４２ｃ，１４３ｃにそれらのピン１１１ｃ，１１１ｄを係合させることで、第２のアーム１４ｂを第１のアーム１４ａの動きに応じて上下方向に円滑に移動させている。
【００３７】
この第２のアーム１４ｂの上端部には開口部１４４ｃが設けられており、この開口部１４４ｃには第３のアーム１４ｄの右端部に固着されたピン１４１ｄが係合され、トグルバネ１１１ｄによって支持されている。また第３のアーム１４ｄは第２のアーム１４ｃが上下動に応じて回動することができるようにカメラボディ側に植設されているピン１１１に軸支されている。さらにこの第３のアームの左端部にはマスク板１２ｅが取り付けられている。したがってこの第３のアーム１４ｄが支軸１１１を中心に時計方向、半時計方向に回動されると、この第３のアーム１４ｄの左端部に取り付けられているマスク板１２ｅがファインダ光路に進入したり、ファインダ光路から退出したりする。このマスク板１２ｅがファインダ光路に進入するときには一対のレール１１１ａ，１１１ｂに案内されながら光軸と略直交する方向に進入し、進入後はその一対のレール１１１ａ，１１１ｂに保持される。
【００３８】
図４には切換操作子１４がパノラマ撮影モード側にスライド操作され、第２のアーム１４ｃが下降し、第３のアーム１４ｄが時計方向に回動され、マスク板１２ｅがファインダ光路に進入した状態が示されている。このときに切換操作子１４が図４に示す矢印Ｆの方向にスライド操作され、通常撮影モード側に切り換えられると、第１のアーム１４ｂが半時計方向に回動され（図中の矢印）、その回動に伴って第２のアーム１４ｃが上昇し（図中の矢印）、第３のアーム１４ｄが半時計方向に回動され（図中矢印）、マスク板１２ｅがファインダ光路から退出する。図４にはその退出したマスク板の状況が分かるようにマスク板の外形を２点鎖線で、第２のアーム１４ｃおよ第３のアーム１４ｄを点線で示してある。
【００３９】
以上が切換操作子１４とマスク板１２ｅとの連結機構である。
【００４０】
ここで連結機構から離れて、ファインダを覗いたときにその一対の凸部１２２ｅと視野枠がどのように視認されるかを説明しておく。
【００４１】
図５はマスク板１２ｅがファインダ光路に配置されたときのファインダマスクを示す図である。
【００４２】
図５に示すように、マスク板１２ｅがファインダ光路に進出すると、図５の上下の領域が遮光され、パノラマ撮影モードに対応する視野枠１２２ｂが視認される。
【００４３】
図５にはパノラマ撮影モードのときの視野枠１２２ｂが示されており、通常撮影モードに対応した視野枠１２１ｂがマスク板１２ｅによって遮光されている様子が示されている。そのパノラマ撮影モードに対応する視野枠１２２ｂの下部にはトリミングズームを示す目印１２３ｂが示されている。これらの目印１２３ｂがパノラマ撮影モードのときにトリミングズームを行なう位置を示す目印になる。撮影者はそれら目印で示される範囲内に、トリミングズームを行ないたい被写体を置いて撮影を行なえば良い。
【００４４】
このようにファインダ上にトリミングズームを示す位置が視認されているときには、撮影光路上にも一対の遮光部材１５ａ，１５ｂを進入させている。
【００４５】
図４に戻ってこの一対の遮光部材１５ａ，１５ｂをマスク板１２ｅに連動させてどのように動かすかを説明する。
【００４６】
図４の連結機構には、そのマスク板１２ｅの動きに合わせて、撮影光路に退出自在に設けられた一対の遮光部材１５ａ，１５ｂを撮影光路に進入させるための一対のギア部材１４１ｅ，１４２ｅが設けられている。この一対のギア部材１４１ｅ，１４２ｅは一対の遮光部材１５ａ，１５ｂを撮影光路に進入させたり、退出させたりするためのもので、カメラボディに植設されたピン１１１ｅ，１１１ｆに回動自在に軸支されている。この一対のギア１４１ｅ，１４２ｅのうち、一方のギア１４１ｅは第２のアーム１４ｂ下側部にあるピン１４４ｃに係合されており、切換操作子１４が矢印Ｆの方向にスライド操作され、第２のアーム１４ｃが上昇すると、その一対のギア１４１ｅ，１４２ｅのうち一方のギア１４１ｅが第２のアーム１４ｃの上昇により時計方向（矢印の方向）に回動される。この一方のギア１４１ｅが時計方向に回動されると、その一方のギア１４１ｅに噛合している他方のギア１４２ｅが半時計方向（矢印の方向）に回動される。それらギア部材１４１ｅ，１４２ｅの端部それぞれは遮光部材１５ａ，１５ｂそれぞれに当接しているので、第２のアーム１４ｂが上昇して一対のギア部材１４１ｅ，１４２ｅがそれぞれ矢印方向に回動されると、一対の遮光部材１５ａ，１５ｂがそれぞれギアの回動にしたがって回動され、撮影光路から退出する。
【００４７】
一方第２のアーム１４ｃが下降してそれぞれのギア部材１４１ｅ，１４２ｅが第２のアーム１４ｃが上昇したときとは反対向きに回動されると、一対の遮光部材１５ａ，１５ｂが反対の方向に回動され、撮影光路に進出する。この一対の遮光部材１５ａ，１５ｂを回動させるときには、捩りバネ１５４ａ，１５４ｂによって遮光部材１５ａ，１５ｂそれぞれをギア部材１４１ｅ，１４２ｅの端部が当接している側とは反対の側から付勢している。これら捩りバネ１５４ａ，１５４ｂは一対の遮光部材１５ａ，１５ｂの端部に一端がそれぞれ係合され、他端がカメラボディに植設されているピン１１１ｇ，１１１ｈにそれぞれ係合されている。このようにして一対の遮光部材１５ａ，１５ｂを撮影光路に進入させることで、パノラマ撮影モードに対応する露光領域がその一対の遮光部材１５ａ，１５ｂによってフィルムに定められる。
【００４８】
以上説明した連結機構を有するカメラを用いてパノラマ撮影モードで撮影を行なうときのフィルムの露光領域を説明する。
【００４９】
図６はパノラマ撮影を行うときの撮影駒の撮影画面マスクを示す図である。
【００５０】
図６に示すようにパノラマ撮影モードに切換操作子１４が切り換えられたときには、撮影駒の、幅方向両側が一対の遮光部材１５ａ，１５ｂによってマスクされ、画枠が設定され、横長の露光領域１３２が定められている。この横長の露光領域１３２に撮影が行なわれ、現像されると、通常サイズの引き伸ばし率よりも大きい倍率で引き伸ばされてパノラマサイズの写真が得られる。
【００５１】
図６に示すように、遮光領域１３１と露光領域１３２とを区画する一対の遮光部材１５ａ，１５ｂうち、一方の遮光部材１５ｂの辺に設けられた一対の凸部１５１ｂ，１５２ｂに対応する領域１３ａも遮光領域として写し込まれている。この一対の凸部１５１ｂ，１５２ｂに対応する遮光領域１３ａは、一対の遮光部材によってフィルムの幅方向の露光領域１３２が狭められたことを受けて、通常撮影モードで撮影されたときと同一の縦横比を持つ位置に、かつ遮光領域１３１と露光領域１３２とを区画する位置に写し込まれている。つまり、通常撮影モードにおける撮影駒の縦横比Ａ／Ｂと相似形になる縦横比ａ／ｂの横の長さｂに対応する位置に目印１３ａを写し込む訳である。
【００５２】
図７は、ネガとそのネガに基づいてプリントされたパノラマサイズの写真を示す図である。
【００５３】
図７に示す如く、パノラマ撮影モードにおいて、遮光部材１５ｂに設けられた凸部１５１ｂ，１５２ｂにより通常撮影モードの露光領域と同一の縦横比となる位置に目印がネガに写し込まれている。このネガを現像すると、被写体像に加えてそれら目印１３ｂが付加された写真になる。ユーザがトリミングズームを行ないたいときには、その目印１３ｂに沿ってその写真を切り取ると、通常サイズの縦横比と同一サイズの、擬似的にズーミングされた写真が得られる。
【００５４】
第１の実施形態のカメラ１ではトリミングズームの位置を知らせる目印として一対の遮光部材１５ａ，１５ｂに突起部を設けて目印をフィルムに写し込むことを行ったが、発光ダイオードからの光を目印としてフィルムの撮影駒に写し込むことも可能である。
【００５５】
図８は第２の実施形態を示すカメラの内部構成を示す図である。
【００５６】
図８に示すように圧板１７とカメラボディ１ａの間の僅かな間隙に発光ダイオード１８を配設してあり、その発光ダイオード１８から照射された光を圧板１７の穴１７ａを通してフィルム背面から写し込むようにしている。この発光ダイオード１８から照射される光によってフィルムに写しこまれる光点を、トリミングを行なうときの目印にするため、パノラマ撮影モードで撮影が行なわれたときに通常撮影モードと同一の縦横比になる位置それぞれに４つの発光ダイオードが配設されている。
【００５７】
この４つの発光ダイオードを点灯させるための機構が切換操作子１４に付加されているので、その機構を、図９を参照して説明する。
【００５８】
図９は、切換操作子の構成を示した図である。
【００５９】
図９に示すようにクリック溝１１１３ａがもう１つ付加されており、３つのクリック溝がカメラボディ側に設けられている。この３つ目のクリック溝１１１３ａが本発明にいう擬似ズーミングモードすなわちトリミングズームモードに対応するものとして使用される。このトリミングズームモードはパノラマ撮影モードにおいて行なわれるものであり、パノラマ撮影モードに従属する撮影モードとして捉えることができる。そこで、パノラマ撮影モードが選択されたときに、そのパラノマ撮影モードにおいてトリミングズームを行なうか否かを選択することができるようにパノラマ撮影モードに対し従属的にトリミングズームモードを設けてある。
【００６０】
図９に示すように切換操作子１４０がパノラマ撮影モードからさらにスライド操作されてトリミングズームモードの位置までスライド操作されると、その切換操作子１４０の端部に設けられている接片１４０１が図９の左側に動く。切換操作子１４０が図９の左側にスライドしたときに、これら接片１４０１を導電部に接触させることができるようにカメラボディ内には発光ダイオードを点灯させるための基板１１１ｊが配設されている。その基板１１１ｊに点灯オン領域に当たる導電部１１１１ｄが設けられている。この導電部１１１１ｄに切換操作子１４０に連結された接片１４０１が接触すると発光ダイオード１８が点灯する。
【００６１】
このように切換操作子１４がトリミングズームモードに対応する位置までスライド操作されると図４のときよりも長い距離スライド操作されるので、図４と同様に第１のアーム１４ｂを構成したのでは第２のアーム１４ｃがさらに下降して、第３のアーム１４ｄや一対のギア部材１４１ｅ，１４２ｅに悪影響が及ぼされてしまう。そこでストッパ１１１ｋを設けて第２のアーム１４ｂを下降させないようにして、第３のアーム１４ｄや一対のギア部材１４１ｅ，１４２ｅを動作させないようにしている。しかし、単にストッパ１１１ｋを設けただけでは、切換操作子１４をトリミングズームモードに対応する位置までスライド操作することができないので、ここでは第１のアーム１４ａを二つのレバー１４１ａ，１４２ａに分割して双方のレバー１４１ａ，１４２ａを組み合わせて第１のアームを構成することによってスライド操作を行えるようにしている。
【００６２】
図９に示すように、この双方のレバー１４１ａ，１４２ａをそれぞれピン１１１ｉに係合させ、一方のレバー１４２ａをストッパ１１１ｋに当接させて、他方のレバー１４１ａを切換操作子１４０に支持させている。また、ピンに１１１ｉに捩りバネ１４００を巻回し、この捩りバネ１４００の一端を一方のレバー１４１ａの端部に係合させ、捩りバネ１４００の他端を他方のレバー１４２ａの端部に係合させ、切換操作子１４０がトリミングズームモードに対応する位置までスライド操作されたときには、このバネ１４００によって一方のレバー１４１ａと他方のレバー１４１ｂとの位相差を吸収させるようにしている。また通常撮影モード側にスライド操作されたときに双方のレバーの位相関係が崩れると困るので、一方のレバー１４１ａと他方のレバー１４２ａそれぞれに係止片１４００ａ，１４１０ａを設けて、これら係止片１４００ａ，１４１０ａを係合させることによって一方のレバー１４０ａと他方のレバー１４１ａの略直交関係が保たれるようにもしてある。
【００６３】
このようにすることで通常撮影モードとパノラマ撮影モードの切換においては第１の実施形態と同様に二つのレバー１４１ａ，１４２ａを動作させることができる。つまり、切換操作子１４０がスライド操作されてパノラマ撮影モードから通常撮影モードの位置にスライド操作されると、ストッパ１１１ｋに当接させたまま半時計方向にＬ字状のレバーが動き、第１の実施形態と同様に第２のアームを上昇させることができる。また、通常撮影モードからパノラマ撮影モードの位置に切換操作子１４０がスライド操作されたときも第１の実施形態と同様に第２のアーム１４ｃを下降させることができる。さらに切換操作子１４０がトリミングズームモードの位置までスライド操作されたときには一方のレバー１４１ａをストッパ１１１ｋに当接させたまま、レバー１４１ａとレバー１４２ａの間の角度を拡げて位相差を吸収させて第２のアーム１４ｃを上下動させずに切替操作子とともに接片を基板上の導電部にまでスライドさせて発光ダイオード１８を点灯させる。
【００６４】
このようにして発光ダイオード１８を点灯させ、フィルムの撮影駒にトリミングズームの目印として光点を写しこむことができる。
【００６５】
図１０は発光ダイオードによって光点が写し込まれたパノラマサイズの写真を示す図である。
【００６６】
図１０に示すように通常サイズの縦横比と同じ位置に、４つの光点１３ｃがそれぞれトリミングズームの位置を示す目印として写し込まれている。この目印にそって切り取れば、擬似的にズーミングされた写真が得られる。
【００６７】
以上説明したように発光ダイオードを設けることによって、パノラマサイズの写真にトリミングズームの位置を示す目印１３ｄを写しこむことができ、ユーザはそれら目印１３ｄにそって切り取りを行なうだけで、擬似的にズーミングされた、通常サイズの写真を得ることができる。
【００６８】
なお、第２の実施形態では上記発光ダイオードを４つ設けたが、発光ダイオードの数は４つに限定される訳ではなく、いくつであっても良い。
【００６９】
また、第１の実施形態では一対の遮光部材の辺に凸部を設けたが、凹部であっても良い。
【００７０】
【発明の効果】
以上、説明したように、本発明のカメラによれば、トリミングズームを簡単に行えてかつ低廉なカメラを提供することができる。
【図面の簡単な説明】
【図１】ネガとパノラマサイズの写真を示す図である。
【図２】本実施形態であるカメラの外観を示す構成斜視図である。
【図３】図２のカメラの撮影レンズ１１およびファインダ１２がある部分を縦方向に切断して、撮影レンズ１１とファインダ１２を横方向から見た図である。
【図４】切換操作子１４のスライド操作に応じてマスク板１２ｅと一対の遮光部材１５ａ，１５ｂとを同時に動かす連結機構を示す図である。
【図５】ファインダマスクを示す図である。
【図６】撮影画面マスクを示す図である。
【図７】カメラ内に装填される、ロール状のフィルムひと駒、ひと駒に本実施形態のカメラで撮影を行ったときのネガとそのネガに基づいてプリントされたパノラマサイズの写真と通常サイズの写真を示す図である。
【図８】第２の実施形態を示すカメラの内部構成を示す図である。
【図９】第２の実施形態に用いられる切換操作子の構成を示した図である。
【図１０】撮影画面を示す図である。
【図１１】発光ダイオードによって光点が写し込まれた写真を示す図である。
【符号の説明】
１  カメラ
１ａ    カメラボディ
１１  撮影レンズ
１２  ファインダ
１２ａ    ファインダ窓
１２ｂ    接眼レンズ
１２１ｂ    視野枠
１２２ｂ    視野枠
１２ｃ    ハーフミラー
１２ｄ    対物レンズ
１２ｅ    遮光板
１２１ｅ    開口
１３    ロール状のフィルム
１３ａ    フィルムカートリッジ
１４    切換操作子
１４ａ    板バネ
１４０    切換操作子
１４０ａ    板バネ
１４ｂ    第１のアーム
１４０ａ    板バネ
１４１ａ  １４２ａ    第１のアームを構成するレバー
１４ｃ    第２のアーム
１４ｄ    第３のアーム
１４１ｅ  １４２ｅ    一対のギア部材
１５ａ  １５ｂ    一対の遮光部材
１５１ｂ  １５２ｂ    凸部
【図１】
2004294793.tif 000003
【図２】
2004294793.tif 000004
【図３】
2004294793.tif 000005
【図４】
2004294793.tif 000006
【図５】
2004294793.tif 000007
【図６】
2004294793.tif 000008
【図７】
2004294793.tif 000009
【図８】
2004294793.tif 000010
【図９】
2004294793.tif 000011
【図１０】
2004294793.tif 000012
【図１１】
2004294793.tif 000013